(57)【要約】本発明は昇降室ならびにその下に設置される作動手段によってほぼ鉛直に移動可能であるほぼ水平な昇降口（１）が含まれる、家屋の下部および上部（４）階間の昇降機に関する。前記発明は、前記作動手段に、少なくとも一組の回転可能に取付けられる、すなわち、その中間部に軸（２２）回転するよう設置される腕木（１１、１２）が含まれることを特徴とする。一組（１１）の第1腕木（１１a）の自由端は固定軸（１３）廻りに、また昇降口（１）に沿って滑動する軸（１４）廻りにもそれぞれ回転可能である。第2腕木（１１b）の自由端は、昇降口（１）に接合された固定軸（１６）廻りおよび滑動軸（１７）廻りにそれぞれ回転可能である。作動装置は昇降口（１）用の第2腕木（１１b）の回転軸（１６）、該組（１１）の腕木（１１a、１１b）の中間回転軸（２２）および第1腕木（１１a）の回転軸（１３）が、一直線に並ばないように、腕木（１１a、１１b）の少なくとも1本の腕木（１１a）と相互作用する。
2007516141.tif 000002
【特許請求の範囲】
【請求項１】
昇降口（１）の下方に位置する作動手段を利用して、下部階から上部階までおよびその逆にも昇降路（２）内をほぼ鉛直に移動可能な昇降室あるいは水平昇降口（１）が含まれる下部階（３）と上部階（４）間の住居用昇降機で、前記作動手段に、まず少なくとも一組の挟み状に取付けられる、すなわち、これらの中間部でピン（２２）廻りに回転する腕木（１１、１２）、昇降路（２）に固定される固定ピン（１３）廻りに、昇降口は昇降口（１）の側面縁の一縁に沿って滑動するピン廻りにそれぞれ回転する一組（１１）の第一腕木（１１a）の自由端、および前記昇降口（１）の側面縁に固定される固定ピン（１６）廻りに、昇降路（２）は滑動ピン（１７）廻りにそれぞれ回転する第２腕木（１１b）の自由端が含まれるため、昇降口（１）にある第２腕木（１１b）の回転ピン（１６）、第一組（１１）の腕木（１１a、１１b）の回転用の中間ピン（２２）、および昇降路にある第一腕木（１１a）用の回転ピン（１３）が決して一線に並ぶことがなく、さらに腕木（１１a、１１b）の少なくとも一本（１１a）と協働する作動部材が含まれ、前記部材の作動により、前記第２腕木が滑動ピン（１７）上部に延びる第１位置から前記第１腕木(１１a)が前記滑動ピン（１７）の下方に延びる第２下部位置まで第一腕木の回転が生じ、これによって住居の上部階（４）に拡がる第１位置から下部階（３）に前記滑動ピン（１７）の下方に拡がる第２位置までかつこの逆にも昇降口（１）の移動を確保することを特徴とする昇降機。
【請求項２】
一組の腕木（１１、１２）の各組の腕木（１１a、１１b）の一方の腕木（１１b）が、直線状にかつ独立した鉛直方向２面に沿って平行に延びる第１部分片（１１'b）および第２部分片（１１''b）の２本の部分片から構成され、前記部分片（１１'b）および（１１''b）が第１および第２部分片（（１１'b、１１''b）の各自由端に固定されるとともに、該組（１１）の第１腕木（１１a）を貫通する固定ピン（２２）によって接合されることを特徴とする請求項１による昇降機。
【請求項３】
まず昇降路（２）が、前面（６a）および後面（６b）直立材、下部階（３）および上部階（４）間に水平に拡がる下部側面格子材（７、７'）、および前面（８a）および後面（８b）交差格子材が含まれる骨組（５）から構成され、第２に、前記昇降口（１）が下部階（３）に拡がる場合に、昇降口（１）が昇降路（２）の骨組（５）の下部側面格子材（７、７'）の下方に、また、前記昇降口（１）が上部階（４）に拡がる場合には前記側面格子材（７、７'）の上部に、拡がることを特徴とする請求項１あるいは請求項２による昇降機。
【請求項４】
それぞれ昇降口（１）の側面縁を伴って回転する挟み状に取付けられた二組の腕木（１１a、１１b）が含まれることを特徴とする請求項１から請求項３までのいずれかによる昇降機。
【請求項５】
第１組（１１）の腕木（１１a、１１b）の自由端が、接合棒（２３）を通じて第二組（１１）の腕木（１２a、１２b）の各自由端に接合されることを特徴とする請求項３による昇降機。
【請求項６】
作動部材が本体が昇降路（２）に接合されるとともにその棒（２０）が該組（１１）の腕木の１本（１１a）とともに回転する接合棒（２１）と節接合されるラム（１９）から構成されるため、ラム（１９）の棒（２０）を伴う接合棒（２１）の、第１腕木（１１a）を伴う接合棒（２１）の、そして前記昇降路（２）を伴う前記第１腕木（１１a）の回転ピンが決して一線に並ぶことのないことを特徴とする請求項１から請求項５までのいずれかによる昇降機。
【請求項７】
一組（１１）の第１腕木（１１a）の自由端が、昇降路（２）の骨組（５）の下部側面格子材（７）の後面端部に固定される固定ピン（１３）廻りに、昇降口（１）は前記昇降口（１）の側面縁の一縁に沿って内腔部（１５）を通って滑動するピン（１４）廻りにそれぞれ回転するとともに、第２腕木（１１b）の自由端は、昇降口（１）の側面縁に固定される固定ピン（１６）の廻りに、昇降路（２）の骨組（５）の下部側面格子材（７）の中間部では、前記下部側面格子材（７）の中間部に作られる長手方向の内腔部（１８）を通って滑動するピン（１７）廻りにそれぞれ回転することを特徴とする請求項１から請求項６までのいずれかによる昇降機。
【請求項８】
ラム（１９）が昇降路（２）の骨組（５）の後面直立材（６b）の１本に沿って鉛直方向に延びることを特徴とする請求項５から請求項７までのいずれかによる昇降機。
【請求項９】
ラム（１９）の棒（２０）がその本体上部に延びることを特徴とする請求項７による昇降機。
【請求項１０】
上部階（４）に昇降路（２）の骨組（５）の前面直立材（６a）に固定される蝶番（２５）廻りに回転する出入口（２４）が含まれることを特徴とする請求項２から請求項８までのいずれかによる昇降機。
【発明の詳細な説明】
【技術分野】
【０００１】
本発明は下部階から上部階間で人を運搬する、老人、障害者といった機動性の減少した利用者が階に接近するのを容易にする、住居での特定な設置用の昇降機に関する。
【背景技術】
【０００２】
この領域では、作動手段を利用して、下部階から上部階まで、あるいはその逆にも鉛直昇降路内を鉛直方向に輸送可能な昇降室あるいは水平昇降口が含まれる昇降機が知られており、これには、例えば、昇降室付きの油圧式昇降機が説明されている仏国特許第２  ５８４  ６９４号の場合がある。油圧昇降機には、支持手段および戻りベルト車によって昇降室の行程方向に移動可能である油圧シリンダーに連結される昇降室が含まれ、該昇降室は作用液の流入および流出によって昇降する。油圧シリンダーへの作用液の流入は原動機によって駆動されるポンプによってなされる。従って、昇降室が上昇する無重力効果のもとで現れる可能性のある、その上端に固定して取付けられる油圧シリンダーのピストン棒は、その端部で、これら端部の片端にしっかり固定される支持手段を誘導するベルト車に連結されるとともに、その他端で昇降室に固定される。
【０００３】
このタイプの昇降機の作動手段は容積が限定されたものではあるが、このタイプの昇降機の据付にはこのタイプの昇降機の設置コストを相当増加させる住居内駆体工事が必要とされる。
【０００４】
昇降室が油圧シリンダーの内外への作用液のそれぞれ流入および流出によって前記昇降室を昇降させる油圧シリンダーのピストンに連結される、いわゆる油圧式昇降機もまた知られており、これは例えば独国特許第３  １３６  ７３９号の場合である。油圧シリンダーは、ピストンがピストン棒による釣り合いおもりによって負荷がかけられるシリンダーの形で圧力緩衝装置にポンプを経由して接続される。
【０００５】
油圧シリンダーの長さは昇降室の最大行程距離に一致するため、昇降室の立面高さが特に制限されることが注目されよう。
【０００６】
この欠点を克服するため、長い行程距離を可能にする静油圧駆動装置が既に考案されている。これは、例えば、特に車両を持ち上げる駐車場に利用可能である挟み昇降装置を説明する欧州規格第０  ３７４  ５００号の場合であり、これには、挟み状に取付けられる二組の脚、階床に固定される固定ピン廻りに回転する一組の一脚の自由端の一端、昇降機骨組の側面縁の一縁に沿って滑動するピン廻りに回転する他端、昇降機骨組の側面縁の一縁に固定される固定ピン廻りに回転する一端を有する他脚、ならびに階床に沿って滑動するピン廻りに回転するその他端が含まれる。一組の二本の脚が、全体が水平な位置と回転が固定された位置との間で90度の回転が可能である、その組立軸から中心がずれた軸廻りの作動部材として作用する二つの油圧ピストンの端部に回転するよう接続される接合棒を支持するピン廻りに回転するよう取付けられる。接合棒には、昇降機骨組が下部位置にある場合に一組の二脚を一体に連結する回転ピンの迅速な上昇を可能にするローラーが設置されるのが有利である。また、該接合棒自身の存在により、その回転を通じてかつ歯車数減少による一組の二脚を一体に連結する回転ピンの迅速な上昇が可能となる。
【０００７】
このタイプの昇降機には、静油圧駆動装置を収納する下部階の下部に位置するピットを形成するため、昇降路の底部に躯体あるいは解体工事が必要とされるという前記昇降機の設置コストを増やす欠点がある。これができないと、脚および作動本体は昇降口の下部に設置されるので、昇降機が下部位置にある場合に、昇降機の昇降口は階床面と面位置にすることが不可能である。
【発明の開示】
【０００８】
本発明の目的の一つは、従って、昇降機通路の底部に必要なピットを避ける単純、かつ低コストの設計の昇降機を提案することによってこの不都合を克服することにある。
【０００９】
この目的のため、また本発明によると、昇降機が下部階と上部階との間に提案され、これには、昇降口の下部に位置する作動手段を利用して下部階から上部階まであるいはその逆にも鉛直通路内を鉛直に平行移動可能なほぼ水平な昇降室あるいは昇降口が含まれ、前記作動手段には、まず挟み状に取付けられる、すなわち、これらの中間部のピンの廻りに回転する少なくとも一組の腕木、昇降路に固定される固定ピンの廻りに、かつ昇降口は昇降口の側面縁の一縁に沿って滑動するピン廻りに、それぞれ回転する一組の第1腕木の自由端、ならびに前記昇降口の側面縁に固定される固定ピン廻りに、かつ昇降路は滑動ピン廻りにそれぞれ回転する第2腕木の自由端が含まれるため、昇降口にある第2腕木用の回転ピン、一組の腕木用の中間回転ピン、および昇降路にある第1腕木用の回転ピンが一直線に決して並ぶことがなく、さらに少なくとも1本の腕木と協働する作動部材も含まれ、前記部材の作動により、前記第2腕木が滑動ピンの上部に延びる第1位置から前記第1腕木が前記滑動ピンの下方に延びる第2下部位置まで第1腕木の回転が生じて、これによって住居の上部階に拡がる第1位置から前記滑動ピンの下方で下部階に拡がる第2位置までおよびその逆にも昇降口の平行移動を確保することを特徴とする。
【００１０】
作動部材は本体が昇降路に接続されるとともに、その棒が該組の腕木の一本とともに回転する接合棒と節接合されるラムから好ましく構成されるため、接合棒の回転ピンがピストン棒と、接合棒の回転ピンが第1腕木と、前記第1腕木の回転ピンが昇降路と、決して一直線に並ぶことはない。
【００１１】
また、特に、有利な方法では、昇降路は二本の後面直立材、二本の下部側面格子材および後面交差格子材が含まれる骨組から構成され、一組の第1腕木の自由端が、下部側面格子材の後面端部に固定される固定ピン廻りに、かつ平板部は昇降口の側面縁の一縁に沿って滑動するピン廻りにそれぞれ回転するとともに、第2腕木の自由端は、昇降口の側面縁に固定される固定ピン廻りに、かつ前記下部側面格子材は前記側面格子材に作られる長手方向内腔部に沿って滑動するピンまわりにそれぞれ回転する。
【００１２】
静油圧駆動装置の棒が昇降室の下部壁に確保されるという従来技術とは反対に、下部階の下方の地盤上に支持されるので、下部階から上部階までまたこの逆にも昇降口を駆動させるために利用されるラムは前記下部階の上部に延びるため、このタイプの昇降機の住居内での設置にはピットを形成するための解体工事が必要ないものと理解されよう。
【００１３】
特に、有利な方法では、腕木の各組の腕木の一本は二本の部分片から構成され、第1部分片および第2部分片が直線状、かつ、二つの独立した鉛直平面に沿って平行に延び、前記両部分片は第1および第2部分片の各自由端に固定されるとともに、該組の第1腕木を貫通する固定ピンによって接合される。
【発明を実施するための最良の形態】
【００１４】
図１から図３を参照すると、住居の下部階と上部階間の本発明の昇降機には、前記昇降機１の下方に位置する作動手段を利用して下部階３から上部階４までおよびその逆にも鉛直昇降路２内を鉛直方向に平行移動可能なほぼ水平な昇降口１が含まれる。昇降路２は2本の前面直立材６a、および2本の後面直立材６b、2本の下部側面格子材７、７'、および前面８aと後面交差格子材８bが含まれる骨組５から構成される。昇降路２の下部側面格子材７、７'は、以下に詳述されるように昇降口１の鉛直方向の余裕を増やすために住居の下部階３の上部に延びる。水平昇降口１は、その側面縁上並びにその後面横断方向縁上に、従来通り直立材から形成される軌道材１０および防護柵を形成する交差格子材が含まれる全体的に長方形の平面部９から構成される。
【００１５】
本昇降機には、また、挟み状に取付けられる二組の腕木１１および１２、すなわち、それぞれ昇降口１の側面縁とともに回転する中間部でピン廻りに回転する一組の腕木が含まれる。一組１１の第1腕木１１aの自由端は昇降路２の骨組５の下部側面格子材７の後面端部に固定される固定ピン１３の廻りに回転するとともに、それぞれ昇降口１とともに長手方向内腔部１５を通って前記昇降口１の側面縁の一縁に沿って滑動するピン１４廻りに回転する。第2腕木１１bの自由端は、昇降口１の側面縁に固定される固定ピン１６の廻りに、かつそれぞれ、昇降路２の骨組５の下部側面格子材７の中間部で、前記下部側面格子材７の中間部に作られる長手方向内腔部１８を通って滑動するピン１７廻りに回転する。腕木１１と１２の組は昇降口１の側面縁とともに回転するので、昇降口下方に位置する空間により、いかなる解体工事も必要とせずに、前記昇降口１が完全に自由に下部階３に拡がることが可能であることが注目されるはずである。
【００１６】
昇降機にはまた、図には示されていないが、前記昇降口１を作動させるよう油圧原動機によって提供されるラム１９が含まれる。このラム１９は下部側面格子材７上部に昇降路２の骨組５の後面直立材６aに沿って鉛直方向に延びるとともに、前記ラム１９の棒２０は、昇降路２の骨組５の下部側面格子材７の後面端部に固定される固定ピン１３廻りの前記第1腕木１１aの回転ならびに第1および第2挟み取付け腕木１１aと１１bの回転ピンとの間にある組の第1腕木１１aとともに回転する接合棒２１と節接合されるため、ラム１９の棒２０を伴った接合棒２１の、第1腕木を伴った接合棒２１の、また、昇降路２を伴った前記第1腕木１１aの、回転ピンは決して一直線に並ぶことはない。従って、ラム１９の棒２０の鉛直平行移動により、前記第２腕木が昇降路２の骨組５の下部側面格子材７、７'の上部に延びる第１位置から、前記第１腕木１１aが前記下部側面格子材７、７'の下方に延びる第２下部位置までの第１腕木の回転が生じ、これによって住居の上階床４に拡がる第１位置から昇降路２の骨組５の下部側面格子材７、７'の下方の下階床３に拡がる第２位置までの昇降口１の平行移動が生じる。
【００１７】
本発明の範囲からそれることなく、昇降口１の下部位置が昇降口２の骨組５の下部側面格子材７、７'の面と一体となっても良いのは明らかである。それににもかかわらず、昇降口１の鉛直方向の余裕に関しては、棒２０の余裕がより大きいラム１９に備えて対策がなされねばならないと理解されよう。
【００１８】
図４を参照すると、挟み状に取付けられる腕木１１、１２の各組の腕木の1本、例えば、第２腕木１１bは、下部側面格子材７から組１１の第１腕木１１bまで延びる第１部分片１１'b、および組１１の第１腕木１１aから昇降口１まで延びる第２部分片１１''bの２本の部分片から構成されることが分かろう。これらの部分片１１'bおよび１１''bは直線状かつ独立した二つの鉛直面に沿って平行に延びるとともに、それぞれ第１および第２部分片１１'b、１１''bの自由端に固定されるとともに該組１１の第１腕木１１aを横断する固定ピン２２によって接合される。従って、第１および第２部分片１１'b、１１''bは第１腕木１１aを貫通するピン２廻りに回転する。
【００１９】
図４の点線によって示される実施例の特に有利な変型例によると、腕木の第一組１１の腕木１１bの自由端は、接合棒２３によって腕木の第二組１２の腕木１２bのそれぞれ自由端に接合されるため、ラム１９の作動によって生じる第一組１１の第一腕木１１aの回転は、同時に、第二組１２の第一腕木１２aの回転を誘い込む。この点で、下部階３から上部階４までまたその逆にも移動する場合には、組１１および１２の腕木１１aおよび１２aが昇降口の背後に接合棒２３の通過を可能にするため昇降口１の後面を越えて突き出て、昇降口が骨組５の下部側面格子材７、７'の階に位置する場合には、前記接合棒２３が昇降口１の面に沿って拡がることが注目されよう。
【００２０】
ついでながら、図１を参照すると、昇降機には、昇降路２の骨組５の前面直立材に固定される蝶番２５廻りに回転する出入口２４が上部階４に含まれるため、昇降口１が下部階３に位置している場合には上部階４からの墜落を防止するため前記出入口２４は昇降路２への接近を防止して遮断される。
【００２１】
昇降路２内の昇降口１の鉛直移動は直線ではなくわずかに曲がっているため、前記昇降口１が下部階３あるいは上部階４に位置する場合は、前記昇降口１が下部階３あるいは上部階４からある空間だけ離れていることが分かろう。利用者の足がこの空間に引っかかって怪我することを防止するため、昇降口１の前面縁には、弾性手段によってプレストレスがかけられるとともに、前記空間を満たすために前記昇降口１の下方に位置する軌道材２７に沿って滑動可能で引っ込められることの可能な防護材２６が含まれると都合がよい。
【００２２】
本発明の範囲からそれることなく、ラム１９が技術にたけた人々に知られた他の任意の作動部材によって置き換えられても良いことは明らかであり、腕木１１aを伴う作動部材の回転ピンならびに昇降路２を伴う前記腕木１１aの回転ピンは鉛直方向に一直線に並ぶことは決してない。
【００２３】
また、前記水平昇降口用の作動用手段には、一組の挟み状に取付けられた腕木、昇降路に固定される固定ピン廻りに、それぞれ滑動ピン廻りの平板部とともに回転する一組の第一腕木の自由端、および前記昇降口に固定される固定ピン廻りに、またそれぞれ滑動ピン廻りに、昇降路骨組とともに回転する第２腕木の自由端が含まれるだけでも良いことも明らかである。
【００２４】
最後に、明らかに、昇降機の水平昇降口は昇降室によって置き換えられても良いとともに、提示された分の事例類も明らかに本発明の応用範囲に関して決して限定されない特定の図解例に過ぎない。
【図面の簡単な説明】
【００２５】
その他の利点および特徴は、付録図面を参照した本発明による昇降機の以下の説明からさらに明確になろう。すなわち、
【図１】本発明の昇降機の透視図である。
【図２】本発明の昇降機の昇降口が上部階にある鉛直断面図である。
【図３】本発明の昇降機の昇降口が下部階にある鉛直断面図である。
【図４】本発明の昇降機の概略最上階平面例示図である。
【図１】
2007516141.tif 000003
【図２】
2007516141.tif 000004
【図３】
2007516141.tif 000005
【図４】
2007516141.tif 000006
【国際調査報告】
2007516141.tif 000007
2007516141.tif 000008
2007516141.tif 000009
2007516141.tif 000010